(57)【要約】【課題】ビール樽等の飲料容器の上部のプロテクターに形成された取っ手部の内側に先鋭形状のバリ部が存在する場合、そのバリ部を効率的に除去して安全な形状に加工するための飲料容器取っ手部のバリ除去方法を提供する。【解決手段】金属板材で形成された容器本体と、金属板材で形成され、前記容器本体の上部に固定されて前記容器本体を保護するプロテクターとを有し、前記プロテクターには孔部としての取っ手が形成されている飲料容器に対して取っ手部のバリ除去を行う。前記プロテクターの前記取っ手の内周縁端部の先鋭部分であるバリ部にＴＩＧ溶接用の電極を近接させ、前記プロテクターと前記電極との間に電流を流しつつ前記電極を前記バリ部に沿って移動させ、前記バリ部を溶融して先鋭部分を丸く安全な形状に加工する。【選択図】図３
2013078779.tif 000002
【特許請求の範囲】
【請求項１】
金属板材で形成された容器本体（１）と、金属板材で形成され、前記容器本体（１）の上部に固定されて前記容器本体（１）を保護するプロテクター（２）とを有し、前記プロテクター（２）には孔部としての取っ手（４）が形成されている飲料容器に対して、
前記プロテクター（２）の前記取っ手（４）の内周縁端部の先鋭部分であるバリ部（４１）にＴＩＧ溶接用の電極（５１）を近接させ、
前記プロテクター（２）と前記電極（５１）との間に電流を流しつつ前記電極（５１）を前記バリ部（４１）に沿って移動させ、前記バリ部（４１）を溶融して先鋭部分を丸く安全な形状に加工するようにした飲料容器取っ手部のバリ除去方法。
【請求項２】
請求項１に記載した飲料容器取っ手部のバリ除去方法であって、
前記容器本体（１）および前記プロテクター（２）は、ステンレス鋼板材で形成されたものである飲料容器取っ手部のバリ除去方法。
【請求項３】
金属板材で形成された容器本体（１）と、
金属板材で形成され、前記容器本体（１）の上部に固定されて前記容器本体（１）を保護するプロテクター（２）とを有する飲料容器であって、
前記プロテクター（２）には孔部としての取っ手（４）が形成されており、
前記プロテクター（２）の前記取っ手（４）周縁端部の先鋭部分であるバリ部（４１）にＴＩＧ溶接用の電極（５１）を近接させ、
前記プロテクター（２）と前記電極（５１）との間に電流を流しつつ前記電極（５１）を前記バリ部（４１）に沿って移動させ、前記バリ部（４１）を溶融して先鋭部分を丸く安全な形状に加工したものである飲料容器。
【請求項４】
請求項３に記載した飲料容器であって、
前記容器本体（１）および前記プロテクター（２）は、ステンレス鋼板材で形成されたものである飲料容器。
【発明の詳細な説明】
【技術分野】
【０００１】
この発明は、ビール樽等の飲料容器の上部の金属製プロテクターに形成された取っ手部の内側に先鋭形状のバリ部が存在する場合、そのバリ部を効率的に除去して安全な形状に加工するための飲料容器取っ手部のバリ除去方法に関し、また、そのバリ除去方法によって加工された飲料容器に関する。
【背景技術】
【０００２】
従来からビール樽等の飲料容器としては、ステンレス鋼等の金属板材で形成したものが一般的に使用されている。このような飲料容器としては、下記の特許文献１に記載されたものがある。特許文献１には、全体がステンレス鋼によって形成された飲料容器が記載されている。
【０００３】
図１は、このような飲料容器１０の全体形状を示す正面図である。この飲料容器１０はビール樽として使用されるものである。飲料容器１０は、概略、容器本体１、上プロテクター２および下プロテクター３とからなる。容器本体１はステンレス鋼板材で形成された密封可能な中空の容器である。
【０００４】
上プロテクター２および下プロテクター３もステンレス鋼板材で形成されており、これらは容器本体１の上下部分を保護するために容器本体１に固定されている。上プロテクター２は容器本体１の上部に溶接によって固定されており、下プロテクター３は容器本体１の下部に溶接によって固定されている。
【０００５】
上プロテクター２には水平方向に長い長円形の孔が形成されており、その孔部が取っ手４として使用される。すなわち、作業者が飲料容器１０を手で持って運搬するときには、取っ手４に手を挿入し上プロテクター２を持つようにして飲料容器１０を運ぶのである。この取っ手４の構造を断面で示すと、図２のようになる。図２は、図１におけるＡ−Ａ矢視断面図である。
【０００６】
取っ手４の孔の周縁は、手で持ったときに危険がないように上プロテクター２の内側に曲げられている。すなわち、孔の周縁の断面が図示のように円弧形状をなすように内側に曲げられている。通常は、取っ手４に手を挿入して飲料容器１０を安全に運搬することができる。一方、取っ手４の内側に曲げられた部分の先端形状が、図２に示すように先鋭なバリ部４１となっているものがあり、このような飲料容器が既にかなりの量流通している。このようなバリ部４１がある飲料容器１０でも、通常は、取っ手４を使用して安全に飲料容器１０を運搬することができる。
【先行技術文献】
【特許文献】
【０００７】
【特許文献１】特開平１１−３０１６７６号公報
【発明の概要】
【発明が解決しようとする課題】
【０００８】
図１および図２に示した、飲料容器１０における取っ手４の構造は、通常の使用においては問題がない。しかし、例えば、飲料容器１０を積み重ねて複数個を同時に運ぶような場合、取っ手４に深く手を挿入し通常よりも力をこめて飲料容器１０を持ち上げる必要がある。そのような場合に、バリ部４１によって手を傷付けてしまうおそれがある。そのような安全上の問題点をなくすためには、取っ手４におけるバリ部４１を除去して丸い安全な形状に加工することが好ましい。
【０００９】
しかし、例えば、ヤスリがけ等によりバリ部４１を除去するのは、多大な人手と作業時間が必要となる。その上、ヤスリがけにより大きなバリは除去しても、微小なバリが発生している可能性もあるため、バリ除去後の製品検査にも多大なコストが必要となる。このように、飲料容器１０の取っ手４におけるバリ部４１を効率的に低コストで除去する方法は今までに実現されていなかった。
【００１０】
そこで、本発明は、ビール樽等の飲料容器の上部のプロテクターに形成された取っ手部の内側に先鋭形状のバリ部が存在する場合、そのバリ部を効率的に除去して安全な形状に加工するための飲料容器取っ手部のバリ除去方法を提供することを目的とする。また、そのバリ除去方法によって加工された安全な飲料容器を提供することを目的とする。
【課題を解決するための手段】
【００１１】
上記目的を達成するために、本発明の飲料容器取っ手部のバリ除去方法は、金属板材で形成された容器本体と、金属板材で形成され、前記容器本体の上部に固定されて前記容器本体を保護するプロテクターとを有し、前記プロテクターには孔部としての取っ手が形成されている飲料容器に対して、前記プロテクターの前記取っ手の内周縁端部の先鋭部分であるバリ部にＴＩＧ溶接用の電極を近接させ、前記プロテクターと前記電極との間に電流を流しつつ前記電極を前記バリ部に沿って移動させ、前記バリ部を溶融して先鋭部分を丸く安全な形状に加工するようにしたものである。
【００１２】
また、上記の飲料容器取っ手部のバリ除去方法において、前記容器本体および前記プロテクターは、ステンレス鋼板材で形成されたものであることが好ましい。
【００１３】
また、本発明の飲料容器は、金属板材で形成された容器本体と、金属板材で形成され、前記容器本体の上部に固定されて前記容器本体を保護するプロテクターとを有する飲料容器であって、前記プロテクターには孔部としての取っ手が形成されており、前記プロテクターの前記取っ手周縁端部の先鋭部分であるバリ部にＴＩＧ溶接用の電極を近接させ、前記プロテクターと前記電極との間に電流を流しつつ前記電極を前記バリ部に沿って移動させ、前記バリ部を溶融して先鋭部分を丸く安全な形状に加工したものである。
【００１４】
また、上記の飲料容器において、前記容器本体および前記プロテクターは、ステンレス鋼板材で形成されたものであることが好ましい。
【発明の効果】
【００１５】
本発明は、以上のように構成されているので、以下のような効果を奏する。
【００１６】
ＴＩＧ溶接用の電極を利用して、現在既に流通し使用されている飲料容器の取っ手のバリを効率的に低コストで除去することができるので、現在使用中の飲料容器の安全性を低コストで向上させることができる。そして、従来の飲料容器を有効に利用できるため、資源の有効利用と地球環境の保護にも役立つ。
【図面の簡単な説明】
【００１７】
【図１】図１は、飲料容器１０の全体形状を示す正面図である。
【図２】図２は、図１におけるＡ−Ａ矢視断面図である。
【図３】図３は、本発明のバリ除去方法を示す図である。
【図４】図４は、バリ部が除去された取っ手４の形状を示す拡大断面図である。
【発明を実施するための形態】
【００１８】
本発明の実施の形態について図面を参照して説明する。図１は、従来から使用されている飲料容器１０の全体形状を示す正面図である。この飲料容器１０はビール樽として使用されるものである。飲料容器１０は、概略、容器本体１、上プロテクター２および下プロテクター３とからなっている。容器本体１はステンレス鋼板材で形成された密封可能な中空の容器である。なお、ここでは図示していないが、容器本体１の上部には口金が固定されている。
【００１９】
上プロテクター２および下プロテクター３もステンレス鋼板材で形成されており、これらは容器本体１の上下部分を保護するために容器本体１に固定されている。上プロテクター２は容器本体１の上部に溶接によって固定されており、下プロテクター３は容器本体１の下部に溶接によって固定されている。また、上プロテクター２と下プロテクター３は、複数の容器を積み重ねたときに、上の容器の下プロテクター３が下の容器の上プロテクター２の上面に嵌合する形状となっている。
【００２０】
上プロテクター２には水平方向に長い長円形の孔が形成されており、その孔部が取っ手４として使用される。すなわち、作業者が飲料容器１０を手で持って運搬するときには、取っ手４に手を挿入し上プロテクター２を持つようにして飲料容器１０を運ぶのである。この取っ手４の構造を断面で示すと、図２のようになる。図２は、図１におけるＡ−Ａ矢視断面図である。
【００２１】
取っ手４の孔の周縁は、手で持ったときに危険がないように上プロテクター２の内側に曲げられている。すなわち、孔の周縁の断面が図示のように円弧形状をなすように内側に曲げられている。通常は、取っ手４に手を挿入して飲料容器１０を安全に運搬することができる。一方、取っ手４の内側に曲げられた部分の先端形状が、図２に示すように先鋭なバリ部４１となっているものがあり、このような飲料容器が既にかなりの量流通している。このようなバリ部４１がある飲料容器１０でも、通常は、取っ手４を使用して安全に飲料容器１０を運搬することができる。
【００２２】
図１および図２に示した、飲料容器１０における取っ手４の構造は、通常の使用においては問題がない。しかし、例えば、飲料容器１０を積み重ねて複数個を同時に運ぶような場合、取っ手４に深く手を挿入し通常よりも力をこめて飲料容器１０を持ち上げる必要がある。そのような場合に、バリ部４１によって手を傷付けてしまうおそれがある。そのような安全上の問題点をなくすためには、取っ手４におけるバリ部４１を除去して丸い安全な形状に加工することが好ましい。
【００２３】
図３は、本発明のバリ除去方法を示す図である。本発明はバリ除去にＴＩＧ溶接用の溶接トーチ５を使用する。ＴＩＧ溶接とは、電気を用いたアーク溶接の一種であり、一般的に用いられている溶接方法である。ＴＩＧとは、タングステン・イナート・ガス（Tungsten Inert Gas）の略である。また、ＴＩＧ溶接とは、溶接部をガスでシールドしての溶接方法であり、シールド用のガスとして不活性ガス（イナート・ガス）を用いる。不活性ガスとしては、アルゴンガスや窒素ガスが使用される。
【００２４】
溶接トーチ５の内部にはタングステンからなる棒状の電極５１が配置されている。溶接トーチ５の先端部はノズル上に形成されており、電極５１の周囲を通って矢印で示すように不活性ガスが噴出される。溶接トーチ５には図示しない溶接電源から溶接用の電流と不活性ガスが供給される。
【００２５】
溶接電源の電流出力を上プロテクター２に接続し、溶接トーチ５および電極５１を図示のようにバリ部４１に近接させる。そして、溶接電源から溶接用の電流と不活性ガスを供給してバリ除去作業を行う。バリ除去作業は溶接と同様の作業であり、溶接トーチ５をバリ部４１に沿って適切な速度で移動させるのである。バリ部４１と電極５１との間に発生するアーク放電によりバリ部４１は溶融する。そして、取っ手４の端縁部は、溶融金属の表面張力により断面形状が円弧に近い形状となり、さらに溶接トーチ５の移動とともに冷却されてその円弧形状のまま固化する。
【００２６】
図４は、本発明のバリ除去方法によってバリ部が除去された取っ手４の端縁部の形状を示す拡大断面図である。上プロテクター２の取っ手４の端縁部は、図示のように断面形状が安全な丸い形状に加工されている。
【００２７】
このように、溶接トーチ５を取っ手４の端縁部に近接させ、取っ手４の端縁部に沿って移動させるだけで、取っ手４の端縁部からバリ部４１が除去されて、端縁部が丸い安全な形状に加工されるのである。本発明のバリ除去方法によれば、バリ除去作業に必要な時間はヤスリがけなどに比べて大幅に短縮される。また、バリ除去後の製品検査も簡素化することができる。したがって、本発明のバリ除去方法によれば、飲料容器１０の取っ手４におけるバリ部４１を効率的に低コストで除去することができる。
【００２８】
このようにして、現在既に流通し使用されている飲料容器の取っ手のバリを効率的に低コストで除去することができるので、現在使用中の飲料容器の安全性を低コストで向上させることができる。そして、従来の飲料容器を有効に利用できるため、資源の有効利用と地球環境の保護にも役立つ。
【００２９】
なお、以上の実施の形態では、飲料容器としてビール樽を例に挙げて説明したが、それ以外の任意の飲料と飲料容器にも適用することができる。
【産業上の利用可能性】
【００３０】
本発明によれば、現在既に流通し使用されている飲料容器の取っ手のバリを効率的に低コストで除去することができるので、現在使用中の飲料容器の安全性を低コストで向上させることができる。そして、従来の飲料容器を有効に利用できるため、資源の有効利用と地球環境の保護にも役立つ。
【符号の説明】
【００３１】
１  容器本体
２  上プロテクター
３  下プロテクター
４  取っ手
５  溶接トーチ
１０  飲料容器
４１  バリ部
５１  電極
【図１】
2013078779.tif 000003
【図２】
2013078779.tif 000004
【図３】
2013078779.tif 000005
【図４】
2013078779.tif 000006